(57)【要約】【課題】丸めて廃棄することが容易な使い捨てのパンツ型着用物品。【解決手段】使い捨てのパンツ型着用物品１が胴周り域を前部６と後部７とに区分けしてこれら両部６，７を連結するシート片２１を有する。シート片２１は、前部６と後部７とに対する接合部位２７，２８どうしの間に物品１の上下方向に引き裂き可能な非接合部位２４を有する。前部６と後部７とは、非接合部位２４の外面側に位置する縁部１３ａと縁部１４ａとを有し、これら縁部１３ａ，１４ａの内面どうしが粘着剤３６を介して剥離可能に接合される。【選択図】図１
2006346004.tif 000002
【特許請求の範囲】
【請求項１】
互いに直交する上下方向と前後方向と横方向とを有しており環を成して胴周り開口を形成している胴周り域と、前記胴周り域の下方部分につながり前記胴周り域と協働して一対の脚周り開口を形成している股下域とを有し、前記胴周り域には前記環を切り開くことができるように前記上下方向へ延びて前記胴周り開口と前記脚周り開口とに達する切断線を形成可能な使い捨てのパンツ型着用物品において、
前記胴周り域の両側部には、前記胴周り域を前部と後部とに区分けしてこれら両部を連結しており前記前後方向に延びる弾性部材を含むことのないシート片が設けられており、前記シート片が、前記着用物品内側に向いた内面と外側に向いた外面とを有していて前記胴周り開口と前記脚周り開口とに達するように前記上下方向へ延びており、前記前部と前記後部とに対しては前記シート片の外面が前記胴周り域の周り方向で近接しているこれら両部のうちの側方部分における内面との接合部位において剥離不能に接合するとともに、前記接合部位どうしの間に前記前部にも前記後部にも接合することのない非接合部位を有し、前記非接合部位は、前記切断線を形成し得るように、前記上下方向に引き裂き可能に形成されており、前記前部と前記後部との前記側方部分それぞれはさらに、前記非接合部の外面側に位置して前記胴周り開口と前記脚周り開口とに達する縁部を有し、前記縁部の内面どうしが、いずれかの内面に塗布された粘着剤を介して剥離可能に接合していることを特徴とする前記着用物品。
【請求項２】
前記前部と前記後部とのうちの少なくとも一方には、前記周り方向に伸長状態で延びてはいるが前記接合部位を越えて前記縁部に向かう部分は伸長状態で延びることのない胴周り弾性部材が取り付けられている請求項１記載の着用物品。
【発明の詳細な説明】
【技術分野】
【０００１】
この発明は、使い捨てのパンツ型おむつやトレーニングパンツ等の使い捨てのパンツ型着用物品に関する。
【背景技術】
【０００２】
従来、使い捨てのパンツ型着用物品として使い捨てのパンツ型おむつはよく知られている。また、パンツ型おむつの例として、前胴周り域と後胴周り域との側縁部どうしが接合されたものであって、それを脱がせるときに側縁部を切り裂くことができるものも周知である。例えば、特開平４−３７１１４７号公報（特許文献１）には、使い捨てのパンツ型おむつとして使用可能な使い捨てパンツが開示されている。このパンツでは、前胴周り域と後胴周り域との側縁部どうしがヒートシール手段を使って接合されている。その接合部分は、パンツを着用者から脱がせるときに比較的容易に引き裂くことができる程度の強度を有している。このパンツの前胴周り域と後胴周り域とには、それぞれの身頃の幅方向へ延びる複数本の糸状の弾性部材が伸長状態で取り付けられており、股下域には脚周り開口に沿って延びる複数本の糸状の弾性部材が伸長状態で取り付けられている。
【０００３】
パンツ型着用物品として、前胴周り域と後胴周り域との間に胴周り方向へ弾性的に伸長可能なパネルを胴周り部材として介在させたものも公知である。例えば、特表平８−５０７６９９号公報（特許文献２）に開示された使い捨ておむつは、パンツ型のものであって、吸収性のある「胴体」と弾性的に伸長可能な一対の「パネル」とからなり、胴開口部と一対の脚開口部とを有する。「パネル」は、おむつ着用者の胴周り両側部それぞれに位置して胴周り方向へ弾性的に伸長するもので、「胴体」の前胴周り域と後胴周り域とに形成される取り付け線において「胴体」に取り付けられている。このおむつを着用したときには、「胴体」が着用者の前後胴周り部と股部とを覆い、「パネル」が伸長、収縮して着用者の胴周り両側部にフィットする。着用したおむつが汚れたときには、「パネル」を取り付け線に沿って「胴体」から外すことによって着用者の身体を汚すことなく脱がせることができる。このおむつはまた、後胴周り域外面の幅方向中央部に縦方向へ延びる接着テープタブを有している。この接着テープタブは、処分を容易にする手段であって、脱がせたおむつを捨てるときに、そのおむつを丸めておくために使用される。
【０００４】
特許第３４２１０３０号公報（特許文献３）には、パンツ型の下着が開示されている。この下着は、前胴周り域と、後胴周り域と、股部分とを有し、前胴周り域と後胴周り域とが手で裂くことのできる不織布片を介してつなげられている。不織布片は、一方の脚周り開口から胴周り開口にまで縦方向に延びており、この不織布片を縦方向に裂くことによって、下着を脱がせることができる。
【特許文献１】特開平４−３７１１４７号公報
【特許文献２】特表平８−５０７６９９号公報
【特許文献３】特許第３４２１０３０号公報
【発明の開示】
【発明が解決しようとする課題】
【０００５】
特許文献１に開示のパンツでは、前胴周り域と後胴周り域との側縁部が不織布からなる内面シートと、不織布にプラスチックフィルムがラミネートされたもの等からなる外面シートとを含んでいる。これら複数枚のシート材料からなる側縁部どうしを重ね合わせた後にヒートシール手段を使って接合した部分では、４〜６枚のシート材料が溶融して一体化することになる。パンツを脱がせるときに、このような接合部分を引き裂こうとすると、接合部分において不織布やプラスチックフィルムが互いに剥離してパンツが前胴周り域と後胴周り域とに分かれる場合もあるが、そのような場合はどちらかというと稀であり、多くの場合には、接合部分の周囲で不織布やプラスチックフィルムが破れてパンツが前胴周り域と後胴周り域とに分かれる。換言すると、パンツを脱がせようとする母親は、重なり合った少なくとも２〜３枚のシート材料を一度に破らなければならず、それには少なからぬ力を要する。そればかりではなく、これらシート材料は直線的に破れることが少ないから、破る作業が速やかには進まないことがある。また、伸長状態にある胴周り弾性部材や脚周り弾性部材が前後胴周り域の側縁部にまで延びている場合には、パンツを引き裂いたときに不織布やプラスチックフィルムが破れると、弾性部材がこれらから剥がれて勢いよく収縮することがある。そして、パンツを引き裂こうとしてパンツを摘んでいる母親の指先にその収縮する弾性部材が当たったときには、指先が痛くなるほどの強い刺激を母親に与えることがある。また、脱がせたパンツは、胴周り弾性部材や脚周り弾性部材が収縮して、多数のひだが複雑に入り組んだものとなるので、それを廃棄するときに、排泄物で汚れた内面が露出しないように丸めたり畳んだりすることが難しい。
【０００６】
文献２に開示されたおむつは、それを脱がせるときに、伸縮性のある「パネル」を、その「パネル」と「胴体」との取り付け線に沿って、「胴体」から外すことができるというものである。しかし、その取り付け線が伸縮性のある「パネル」と「胴体」とをヒートシールすることによって形成されている場合には、文献１に開示されたパンツの場合と同様に、「パネル」を取り外す作業が実際には「パネル」や「胴体」を取り付け線に沿って破る作業であって、その作業には力を要し、しかもその作業がスピーディーには進まないということがある。伸縮性のある「パネル」が伸長状態にある糸状弾性部材を含むものである場合には、この「パネル」を外すときに、その弾性部材が勢いよく収縮しておむつを脱がせようとしている母親の指を強く刺激するということもある。このおむつはまた、「パネル」を「胴体」から外すと、左右両側部が開放状態となるから、縦方向に丸めて接着テープタブで止めても、丸めたおむつは両側部が大気に開放されていて、臭気等が漏れる原因となる。
【０００７】
文献３に開示されたおむつは、丸めておくことができる手段を持たないから、廃棄するときに汚れた部位が露出したり、悪臭を発生したりすることになりかねない。
【０００８】
この発明では、これら従来のパンツ型着用物品を脱がせるときに観察される上述の諸問題を解消することができるように、使い捨てのパンツ型着用物品に改良を施すことを課題にしている。
【課題を解決するための手段】
【０００９】
前記課題解決のために、この発明が対象とするのは、互いに直交する上下方向と前後方向と横方向とを有しており環を成して胴周り開口を形成している胴周り域と、前記胴周り域の下方部分につながり前記胴周り域と協働して一対の脚周り開口を形成している股下域とを有し、前記胴周り域には前記環を切り開くことができるように前記上下方向へ延びて前記胴周り開口と前記脚周り開口とに達する切断線を形成可能な使い捨てのパンツ型着用物品である。
【００１０】
かかる着用物品において、この発明が特徴とするところは、次のとおりである。前記胴周り域の両側部には、前記胴周り域を前部と後部とに区分けしてこれら両部を連結しており前記前後方向に延びる弾性部材を含むことのないシート片が設けられている。前記シート片は、前記着用物品内側に向いた内面と外側に向いた外面とを有していて前記胴周り開口と前記脚周り開口とに達するように前記上下方向へ延びており、前記前部と前記後部とに対しては前記シート片の外面が前記胴周り域の周り方向で近接しているこれら両部のうちの側方部分における内面との接合部位において剥離不能に接合するとともに、前記接合部位どうしの間に前記前部にも前記後部にも接合することのない非接合部位を有し、前記非接合部位は、前記切断線を形成し得るように、前記上下方向に引き裂き可能に形成されており、前記前部と前記後部との前記側方部分それぞれはさらに、前記非接合部の外面側に位置して前記胴周り開口と前記脚周り開口とに達する縁部を有し、前記縁部の内面どうしがいずれかの内面に塗布された粘着剤を介して剥離可能に接合している。
【００１１】
この発明の好ましい実施態様において、前記前部と前記後部とのうち少なくとも一方には、前記周り方向に伸長状態で延びてはいるが前記接合部位を越えて前記縁部に向かう部分は伸長状態で延びることのない胴周り弾性部材が取り付けられている。
【発明の効果】
【００１２】
この発明に係るパンツ型着用物品は、胴周り域の両側部に、胴周り域の前部における側方部分と胴周り域の後部における側方部分とを連結していて切断線の形成が容易なシート片を有しているから、そのシート片を切り裂くことによって、汚れたおむつを速やかに脱がせることができる。脱がせたおむつは、それを前部から後部に向かう方向、またはそれとは逆の方向に丸めて捨てるときに、前部および後部いずれかの縁部に塗布されている粘着剤を使用して丸めた状態を保つようにすると、おむつは広がることがないばかりではなく、丸めたものの両側部から排泄物や排泄物の臭気が漏れることを防止できる。また、シート片は、それが胴周り方向へ延びる弾性部材を含むことがないので、このシート片を上下方向へ切り裂く作業は、弾性部材の存在によって難しくなるということがない。
【００１３】
請求項２に係る発明によれば、着用物品が伸長状態にある胴周り弾性部材を有していても、その胴周り弾性部材は、剥離可能に接合している縁部にまでは伸長状態で延びることがないから、その縁部は弾性部材の伸長・収縮によって、簡単に剥離するということがない。
【発明を実施するための最良の形態】
【００１４】
この発明に係る使い捨てのパンツ型着用物品として使い捨てのパンツ型おむつを例にとり、発明の詳細を説明すると以下のとおりである。
【００１５】
図１，２，３は、パンツ型おむつ１の斜視図と、図１のＩＩ−ＩＩ線切断面を示す図と、おむつ１の部分図であって、図１，３ではおむつ１の一部分が破断して示されている。おむつ１は、透液性表面シート２と、不透液性裏面シート３と、これら両シート２，３間に介在する体液吸収性の芯材４とを有している。おむつ１はまた、着用者の胴周りの前部と、胴周りの後部と、股部分とのそれぞれを覆う前胴周り域６と、後胴周り域７と、股下域８とを有しており、これら各域６，７，８において、表面シート２と裏面シート３とは芯材４の周縁から延出する部分で重なり合い、ホットメルト接着剤（図示せず）を介して互いに接合しており、前胴周り域６には上端部分６ａと一対の側方部分１３とを形成し、後胴周り域７には上端部分７ａと一対の側方部分１４とを形成している。おむつ１の両側部それぞれでは、胴周り方向において互いに近接しているこれら側方部分１３と側方部分１４とが連結用シート片２１を介してつなげられていて、おむつ１の胴周り域が環状を成しており、胴周り開口１１を形成するとともに、股下域８と協働して一対の脚周り開口１２を形成している。側方部分１３，１４のそれぞれは、上下方向に延びる縁部１３ａ，１４ａを有し、これら縁部１３ａ，１４ａが合掌状に重なり合い、剥離可能に接合している。前後胴周り域６，７のそれぞれでは、胴周り弾性部材１６，１７が胴周り開口１１の縁に沿って延びている。股下域８では、脚周り弾性部材１８が脚周り開口１２の縁に沿って伸長状態で延びている。これら弾性部材１６，１７，１８は、表面シート２と裏面シート３との間に介在して、これらシート２，３の少なくとも一方にホットメルト接着剤（図示せず）によって伸長状態で接合している。おむつ１は、図にｈ，ｉ，ｊで示される上下方向と前後方向と横方向とを有する他に、胴周り開口１１の縁が延びる方向である胴周り方向を有する。
【００１６】
かようなおむつ１において、環状の胴周り域を前部と後部とに区分している前胴周り域６と後胴周り域７とをつなぐ連結用シート片２１は、胴周り方向の前方と後方とに位置する前方側縁部２２と後方側縁部２３とのそれぞれが前後胴周り域６，７それぞれの側方部分１３，１４の内面１３ｂ，１４ｂに対して接合域２７，２８（図２参照）において剥離不能に接合する一方、これら接合域２７と２８との間に前後胴周り域６，７のいずれにも接合することのない非接合域２４を有している。この非接合域２４は、胴周り開口１１と脚周り開口１２とに達するように上下方向ｈに延びている。かかる連結用シート片２１は、その非接合域２４における引張強度と引裂強度とが後記の図５〜７に基づいて測定されるものであって、おむつ１を着用するときに胴周り方向へ引張られても非接合域２４が簡単に破れることがないように、好ましくは胴周り方向に対して少なくとも８Ｎ／２５ｍｍ幅の引張強度を有している。連結用シート片２１はまた、着用したおむつ１を脱がせるときに、非接合域２４において胴周り開口１１から脚周り開口１２までの間を上下方向ｈへほぼ直線的に引き裂くことができるもので、好ましくは上下方向ｈに対して０．１〜１２Ｎの引裂強度を有している。胴周り方向において、前胴周り域６の側方部分１３は接合域２７から後胴周り域７に向かって延びる縁部１３ａを有し、後胴周り域７の側方部分１４は接合域２８から前胴周り域６に向かって延びる縁部１４ａを有している。これら縁部１３ａと１４ａとは、連結用シート片２１における非接合域２４の外面側に位置しており、内面どうしが向かい合うように折曲部３３，３４においておむつ１の外側に向かって折曲されている。縁部１３ａ，１４ａはさらに、いずれか一方の縁部、例えば縁部１４ａの内面に塗布された粘着剤３６を介して、剥離可能に接合している。おむつ１を脱がせるときには、図２において仮想線で示されているように、縁部１４ａから縁部１３ａを剥離して、連結用シート片２１をおむつ１の外側に向かって露出させる。しかる後に、連結用シート片２１の非接合域２４を上下方向ｈに引き裂けばよい。図１，３に例示の如く、胴周り弾性部材１６，１７と脚周り弾性部材１８とは、それが接合部位２７，２８を越えて縁部１３ａ，１４ａにまでは延びることのない態様にあると、それら弾性部材１６，１７，１８が収縮しても縁部１３ａ，１４ａにはギャザーを生じることがないので、縁部１３ａ，１４ａは平滑で、粘着剤３６を介しての接合が容易であって、しかも簡単に剥離することがない。なお、この発明は、胴周り弾性部材１６，１７と脚周り弾性部材１８とが接合部位２７，２８を越えて縁部１３ａ，１４ａにまで延びる態様で実施することも可能であるが、その態様の場合には弾性部材１６，１７，１８が接合部位２７，２８を越える部位において非伸長状態にあることが好ましい。粘着剤３６は、おむつ１の前後胴周り域６，７を環状に保つために使用するものではなくて、縁部１３ａと１４ａとを剥離可能に仮止めしておくことによっておむつ１の着用時に粘着剤３６の表面が汚れることを防ぐことができて、後記するように汚れたおむつ１を捨てるときにそのおむつ１を丸めておくことができればよいものである。
【００１７】
おむつ１において、連結用シート片２１の非接合域２４は、胴周り方向へ延びる弾性部材１６，１７や脚周り方向へ延びる弾性部材１８を含んでいないから、これら弾性部材１６，１７，１８の存在によって上下方向ｈにおける引き裂きが困難になるということはない。また、その引き裂きの際に、従来のパンツ型おむつのように伸長状態にある弾性部材が勢いよく収縮しておむつを引き裂こうとする母親の指先に当たり、その指先を刺激するということもない。かようなおむつ１では、それが着用状態にあるときに連結用シート片２１の非接合域２４を容易に識別することができるように、連結用シート片２１の色調を縁部１３ａ，１４ａの色調とは異なるものにすることができる。
【００１８】
図４は、連結用シート片２１を引き裂いて脱がせたおむつ１であって、汚れた表面シート２が内側となるようにして前胴周り域６から後胴周り域７へ向かって丸めてあるおむつ１の斜視図である。おむつ１は、それを丸めた後に、後胴周り域１４の縁部１４ａを裏面シート３に図の如く折り重ねて粘着剤３６で止めておくことによって、丸めたおむつ１の両側部全体を閉じた状態に保ち、おむつ１の両側部から排泄物や臭気が漏れることを防止できる。股下域８が排泄物で汚れているおむつ１は、これを前胴周り域６から後胴周り域７に向かう方向、又はそれとは逆の方向に丸めて、汚れた股下域８を汚れていない前後胴周り域６，７で包むようにすると、排泄物や臭気はおむつ１の上端部分６ａ，７ａ（図１参照）から漏れることはないが、側部からは漏れ易い場合がある。しかし、図示例の如く縁部１４ａと粘着剤３６とを使用して丸めたおむつ１の側部を閉じると、側部からの排泄物等の漏れを防止することができる。
【００１９】
この発明において、連結用シート片２１には、ポリエチレン、ポリプロピレン、ポリエステル等の熱可塑性合成樹脂からなる繊維で形成された不織布やこれらの合成樹脂からなるフィルム、これら不織布とフィルムとからなる積層シート等を使用することができる。これら不織布やフィルムには、その引き裂きを容易にするために、上下方向ｈへ延びる一条または複数条のミシン目を設けておくことができる。また、不織布を形成している繊維が特定の方向に向かって強く配向している場合や、フィルムを形成している高分子鎖が特定の方向に向かって強く配向している場合には、その特定の方向がおむつ１の上下方向ｈとなるように使用することで、連結用シート片２１の引裂きを容易にしたり、引裂きが上下方向ｈへ直線的に進むようにしたりすることができる。
【００２０】
おむつ１の表面シート２には、熱可塑性合成樹脂からなる繊維で形成された坪量１０〜３０ｇ／ｍ２の不織布や熱可塑性合成樹脂からなる厚さ１０〜３０ミクロンの開孔フィルムを使用することができる。
【００２１】
裏面シート３には、熱可塑性合成樹脂からなる厚さ２０〜５０ミクロンのフィルムやそのフィルムと熱可塑性合成樹脂からなる繊維で形成された坪量２０〜５０ｇ／ｍ２の不織布とを間欠的に接合してなる複合シート等を使用することができる。
【００２２】
体液吸収性芯材４には、粉砕パルプと高吸水性ポリマー粒子との混合物を液透過性または液透過性と液拡散性とに優れたティッシュペーパや不織布等のシート材料で被覆したものを使用したり、粉砕パルプをそのようなシート材料で被覆したもの等を使用したりすることができる。
【００２３】
前後胴周り域６，７における側部１３，１４は、表面シート２と裏面シート３とが接着や溶着によって一体化した複合シートを形成していることによって、またはその複合シートが胴周り弾性部材１６，１７や脚周り弾性部材１８を含んでいることによって、連結用シート片２１よりも高い引張強度と引裂強度とを有しており、おむつ１を脱がせるときに側部１３，１４が連結用シート片２１よりも簡単に破れるということはない。おむつ１はまた、表面シート２と裏面シート３とのうちの一方が連結用シート片２１よりも高い引張強度と引裂強度とを有しているならば、その一方だけで側部１３および／または側部１４を形成することもできる。さらにはまた、表面シート２や裏面シート３とは別体であって、連結用シート片２１よりも高い引張強度と引裂強度とを有する第３のシートによって側部１３および／または側部１４を形成することもできる。側部１３，１４と連結用シート片２１とは、接合域２７，２８において溶着または接着によって接合しており、それら両者の接合は、おむつ１を着用させるときにも脱がせるときにも剥離することがないような高い剥離強度を有している。
【００２４】
図５は、連結用シート片２１として使用するシート材料についての引張強度を測定する測定方法と測定用試片とを示す図である。試片は、その長さ方向がおむつ１の胴周り方向と一致するように作成して、チャック間隔が５０ｍｍとなるように引張試験機に取り付ける。引張速度２００ｍｍ／ｍｉｎで試片を引張って、破断荷重を求め、その値を引張強度とする。
【００２５】
図６，７は、連結用シート片２１として使用するシート材料についての引裂き強度を測定する測定用試片と測定方法とを示す図である。試片は、その長さ方向とスリットの長さ方向とがおむつ１の上下方向ｈと一致するように作成して、それぞれのチャックに対して約２５ｍｍのつかみしろを取り、チャック間隔が１００ｍｍとなるように引張試験機に取り付ける。引張速度２００ｍｍ／ｍｉｎで試片を引張って、破断に至るまでの最大荷重を求め、その値を引裂強度とする。
【００２６】
使い捨てのパンツ型おむつを例にとって説明したこの発明は、トレーニングパンツや失禁患者用パンツ、生理用ショーツ等の使い捨てのパンツ型着用物品として実施することができる。また、図示例において、連結用シート片２１は、おむつ１の胴周り域を前後方向ｉにほぼ二等分して前胴周り域６と後胴周り域７とに区分するように胴周り域の両側部に設けられているが、この発明は、連結用シート片２１の位置をそのような例に限定するものではないから、連結用シート片２１の位置を、胴周り域の側部ではあっても、腹側または背側に偏奇させることができる。
【産業上の利用可能性】
【００２７】
この発明によれば、胴周り域の側部を容易に切り裂いて脱がせることのできるとともに、脱がせた後には丸めて排泄物や臭気の漏れを防止できるパンツ型着用物品の製造が可能になる。
【図面の簡単な説明】
【００２８】
【図１】パンツ型おむつの部分破断斜視図。
【図２】図１のＩＩ−ＩＩ線切断面を示す図。
【図３】パンツ型おむつの部分拡大斜視図。
【図４】丸めてあるおむつの斜視図。
【図５】引張強度測定方法を示す図。
【図６】引裂強度測定用試片を示す図。
【図７】引裂強度測定方法を示す図。
【符号の説明】
【００２９】
１    パンツ型着用物品（おむつ）
６    前部（前胴周り域）
７    後部（後胴周り域）
８    股下域
１１    胴周り開口
１２    脚周り開口
１３    側部
１３ａ    縁部
１３ｂ    内面
１４ａ    縁部
１４ｂ    内面
１４    側部
１６    胴周り弾性部材
１７    胴周り弾性部材
１８    脚周り弾性部材
２１    シート片
２４    非接合部位
２７    接合部位
２８    接合部位
３６    粘着剤
【図１】
2006346004.tif 000003
【図２】
2006346004.tif 000004
【図３】
2006346004.tif 000005
【図４】
2006346004.tif 000006
【図５】
2006346004.tif 000007
【図６】
2006346004.tif 000008
【図７】
2006346004.tif 000009